(57)【特許請求の範囲】
【請求項１】
円形のフランジ部と，前記フランジ部の外縁に環状に形成された歯元部とを有し，前記歯元部のギヤ歯により回転駆動の伝達を行うギヤにおいて，
前記フランジ部は，その側面に，前記歯元部より内側に前記歯元部に対して間隔を置いて環状に離散的に配置された内外２列の凸部の列が形成されているものであり，
前記フランジ部および前記歯元部の材質よりも高硬度または高密度の材質の環状の補強部材が，前記凸部がなす外側の第１列と内側の第２列との間に，それらの列と列との間隔を押し広げるように前記凸部を変形させながら保持されていることを特徴とするギヤ。
【請求項２】
請求項１に記載のギヤにおいて，
前記フランジ部は，その側面に，前記歯元部より内側に間隔を置いて環状の円形リブが形成されたものであり，
前記第１列に属する各凸部（以下，「第１凸部」という）は，前記円形リブの内側に連続して形成されており，
各前記第１凸部は，前記補強部材により外向きに変位させられていることを特徴とするギヤ。
【請求項３】
請求項２に記載のギヤにおいて，
前記フランジ部は，その側面に，前記歯元部と前記円形リブとを結ぶ連結リブが形成されたものであり，
前記連結リブは，前記円形リブにおける前記第１凸部と繋がる位置と異なる位置に配置されていることを特徴とするギヤ。
【請求項４】
請求項１から請求項３のいずれか１つに記載のギヤにおいて，
複数枚の補強部材が重ねられて保持されていることを特徴とするギヤ。
【請求項５】
請求項４に記載のギヤにおいて，
前記凸部の少なくとも一部が段差を有する形状のものであり，
前記複数の補強部材の一部が前記段差よりも下の部分に保持されており，
前記複数の補強部材の残部が前記段差よりも上の部分に保持されていることを特徴とするギヤ。
【請求項６】
表面にトナー像の形成をうけるトナー像担持体と，前記トナー像担持体から媒体にトナー像を転写する転写部とを有し，
前記トナー像担持体の駆動系に，請求項１から請求項５までのいずれか１つに記載のギヤを有することを特徴とする画像形成装置。
【発明の詳細な説明】
【技術分野】
【０００１】
本発明は，ギヤ歯により回転駆動の伝達を行うギヤに関する。さらに詳細には，高精度な回転速度の伝達が求められる画像形成装置等の精密機器に用いて好適なギヤに関する。さらには，そのギヤを駆動系に用いた画像形成装置に関するものである。
【背景技術】
【０００２】
従来から，種々の機械装置では回転駆動の伝達のためにギヤを用いている。画像形成装置のような精密機器もその例外ではない。画像形成装置の駆動系においては，回転ムラがあると画像の品質を著しく劣化させてしまうことになる。特に感光体等の像を担持する要素の駆動系においてこのことが重要である。このため駆動系のギヤにおいても，ギヤが回転ムラの原因となることがないように，種々の工夫がなされている。
【０００３】
例えば特許文献１の技術では，ギヤに補強部材をネジ止めしている。これは，はす歯ギヤのスラスト力に起因する捩れを防止しようとするものである。捩れによる偏摩耗が回転ムラの一因となるからである。また，特許文献２の技術では，補強部材を駆動軸に圧入している。むろんこれは駆動軸部分を強化しようとするものである。これも，はす歯ギヤにおけるスラスト力に起因する捩れの弊害を防止するためのものである。
【特許文献１】特開平８−７４９７１号公報
【特許文献２】特開２００７−４０３９９号公報
【発明の開示】
【発明が解決しようとする課題】
【０００４】
しかしながら，前記した従来の技術には，以下に述べるような問題点があった。まず特許文献１の技術では，補強部材をネジ止めしているので，熱膨張時に歪みが出てしまう。補強部材以外の部分は合成樹脂でできているので，補強部材との間で熱膨張率が違うからである。この歪みにより合成樹脂のギヤ本体が変形し，寸法にも狂いが生じてしまうのである。画像形成装置の場合には，定着器のような発熱体が機内に存在するので，この問題は無視できない。次に特許文献２の技術では，歯元部分は強化されない。駆動軸部分しか強化されないからである。このため，歯元部分は変形しやすい。よって寸法公差が厳しく，ギヤ全体を高精度に成形する必要がある。このためギヤの加工が大変である。
【０００５】
本発明は，前記した従来の技術が有する問題点を解決するためになされたものである。すなわちその課題とするところは，簡単な構成で，寸法精度の問題を生じることなく，ギヤを強化して回転ムラを排除したギヤおよびそのギヤを用いた画像形成装置を提供することにある。
【課題を解決するための手段】
【０００６】
この課題の解決を目的としてなされた本発明のギヤは，円形のフランジ部と，フランジ部の外縁に環状に形成された歯元部とを有し，歯元部のギヤ歯により回転駆動の伝達を行うギヤであって，フランジ部は，その側面に，歯元部より内側に歯元部に対して間隔を置いて環状に離散的に配置された凸部の列が形成されているものであり，フランジ部および歯元部の材質よりも高硬度または高密度の材質の補強部材が，凸部を変形させながら保持されているものである。
【０００７】
本発明のギヤでは，フランジ部の側面に保持されている補強部材により，全体が補強されている。また，慣性モーメントも補強部材により大きくなっている。この補強部材は，フランジ部の側面に形成された凸部の列により保持されている。そしてそれらの凸部は，補強部材により変形させられている。すなわち補強部材は，凸部が変形することにより，その復元力で保持されている。よって，温度変化によりフランジ部と補強部材との寸法の関係が少々変化したとしても，凸部の変形の程度が少し変化するだけである。ここで，凸部の変形状況が多少変化したとしても，歯元部の形状には影響しない。凸部の列が，歯元部に対して間隔を置いて配置されているからである。これにより，簡単な構成で，寸法精度の問題を生じることなく，強化されたギヤとなっている。むろん回転ムラは排除されている。
【０００８】
本発明のギヤにおいては，補強部材が環状のものであり，凸部の列として，補強部材の外側に位置する第１列と，補強部材の内側に位置する第２列とがある。このため補強部材は，第１列と第２列との間に，それらの列と列との間隔を押し広げながら保持されている。このため，外周と内周との両側から確実に保持される。なお，補強部材を保持することにより変形する凸部は，第１列に属する第１凸部と，第２列に属する第２凸部とのうち，いずれか一方でも両方でもよい。
【０００９】
本発明のギヤにおいては，フランジ部の側面に，歯元部より内側に間隔を置いて環状の円形リブが形成されており，各第１凸部が，円形リブの内側に連続して形成されているとよりよい。この場合，円形リブにより，第１凸部が外向きに変位したときの復元力が強化されている。このため，各第１凸部が，補強部材を保持することにより外向きに変位させられるものである場合には，補強部材の保持がより確実である。
【００１０】
本発明のギヤにおいては，フランジ部の側面にさらに，歯元部と円形リブとを結ぶ連結リブが，円形リブにおける第１凸部と繋がる位置と異なる位置に形成されているとよりよい。このようにすると，フランジ部における歯元部と円形リブとの間の領域が，連結リブにより補強されることになる。それでいて，第１凸部の補強部材による変位が，歯元部にまで影響することがない。連結リブと第１凸部とが，円形リブに対して異なる位置で接続されているからである。
【００１１】
本発明のギヤにおいては，複数枚の補強部材を重ねて保持することもまた好ましい。これにより，組み付け時における慣性モーメントの調整の自由度がさらに確保される。この場合にさらに，凸部の少なくとも一部を，段差を有する形状のものとするとよい。その場合には，複数の補強部材の一部が段差よりも下の部分に保持され，複数の補強部材の残部が段差よりも上の部分に保持されることになる。第１凸部と第２凸部とがある場合には，その少なくとも一方が，段差を有する形状であればよい。
【００１２】
本発明は，表面にトナー像の形成をうけるトナー像担持体と，トナー像担持体から媒体にトナー像を転写する転写部とを有する画像形成装置であって，トナー像担持体の駆動系のギヤとして本発明のものを用いたものにも及ぶ。
【発明の効果】
【００１３】
本発明によれば，簡単な構成で，寸法精度の問題を生じることなく，ギヤを強化して回転ムラを排除したギヤおよびそのギヤを用いた画像形成装置が提供されている。
【発明を実施するための最良の形態】
【００１４】
［第１の形態］
以下，本発明を具体化した最良の形態について，添付図面を参照しつつ詳細に説明する。第１の形態に係るギヤは，図１に示すように，ギヤ本体１と，補強部材２とを有している。ギヤ本体１は，合成樹脂製であり，ある程度の柔軟性を有している。補強部材２は，金属製である。このため補強部材２は，硬度および密度に関して，ギヤ本体１を上回っている。
【００１５】
まず，ギヤ本体１について説明する。ギヤ本体１は，全体としてほぼ円板形状である。その外縁には，歯元部１０が形成されている。歯元部１０の外周面１１には，図示は省略するがギヤ歯が形成されている。ギヤ本体１の中心部分には，回転軸に取り付けるためのボス部１２が形成されている。歯元部１０とボス部１２との間の平板状の部分をフランジ部１３という。
【００１６】
ギヤ本体１におけるフランジ部１３の一方の側面には，種々のリブが形成されている。まず，歯元部１０より少し内側には，外郭円形リブ１４が形成されている。外郭円形リブ１４と歯元部１０との間には間隔がある。そして，外郭円形リブ１４と歯元部１０との間には，連結リブ１５が離散的に形成されている。連結リブ１５により，外郭円形リブ１４と歯元部１０とが連結されている。
【００１７】
また，外郭円形リブ１４の内側には，第１凸部１６が離散的に形成されている。各第１凸部１６は，外郭円形リブ１４の内面に繋がっている。多数の第１凸部１６は，全体として環状の列をなしている。第１凸部１６の列と歯元部１０との間には間隔がある。外郭円形リブ１４と歯元部１０との間に間隔があるからである。また，連結リブ１５と第１凸部１６とは，外郭円形リブ１４に対して交互に配置されている。すなわち，連結リブ１５と第１凸部１６とは，外郭円形リブ１４に対して互い違いに配置され，異なる位置で繋がっている。
【００１８】
また，ボス部１２の少し外側には，内郭円形リブ１７が形成されている。内郭円形リブ１７とボス部１２との間には間隔がある。そして，内郭円形リブ１７とボス部１２との間には，連結リブ１８が離散的に形成されている。連結リブ１８により，内郭円形リブ１７とボス部１２とが連結されている。また，内郭円形リブ１７の外側には，第２凸部１９が離散的に形成されている。各第２凸部１９は，内郭円形リブ１７の外面に繋がっている。多数の第２凸部１９は，全体として環状の列をなしている。第２凸部１９の列とボス部１２との間には間隔がある。内郭円形リブ１７とボス部１２との間に間隔があるからである。
【００１９】
ここで，第１凸部１６の列と第２凸部１９の列との間には間隔がある。この，第１凸部１６の列と第２凸部１９の列との間のドーナツ形のスペースが，補強部材２を取り付けるためのスペースである。補強部材２は，ドーナツ板状の部材である。その外周縁２１の径は，第１凸部１６の列の径とほぼ同じくらいである。内周縁２２の径は，第２凸部１９の列の径とほぼ同じくらいである。
【００２０】
補強部材２は，ギヤ本体１における，第１凸部１６の列と第２凸部１９の列との間のドーナツ形のスペースに取り付けられるものである。ここでギヤ本体１の各第１凸部１６は，補強部材２を当該スペースに取り付けることにより，補強部材２の外周縁２１により少し外向きに押し出されるようになっている。すなわち，各第１凸部１６の内側の先端がなす円の径は，補強部材２を取り付ける前においては，補強部材２の外径よりわずかに小さいのである。
【００２１】
言い替えると，補強部材２を取り付けることにより，第１凸部１６の列と第２凸部１９の列との間隔が，取り付け前の状態に比して少し押し広げられている。このため，補強部材２を取り付けた状態では，各第１凸部１６は若干変形している。この，変形した第１凸部１６が復元しようとする反力により，補強部材２がしっかりと保持されているのである。また，このことから，ギヤ本体１に補強部材２を取り付ける際には，各第１凸部１６を変形させるために十分な力をもって圧入する必要がある。
【００２２】
なお，補強部材２を当該スペースに取り付けることにより，各第１凸部１６が外向きに押し出されるばかりでなく，各第２凸部１９も内向きに押し込められるようにしてもよい。すなわち，各第２凸部１９の外側の先端がなす円の径を，補強部材２を取り付ける前においては補強部材２の内径よりわずかに大きいこととしてもよい。さらには，補強部材２の取付による変形が，主として第２凸部１９にて起こり，第１凸部１６はあまり変形しないこととしてもよい。また，補強部材２を複数枚の重ね合わせ構成にしてもよい。その場合，第１凸部１６と第２凸部１９との間隔の押し広げは，最上の部材のみで行えば十分である。また，材質は異なっていてもよい。
【００２３】
ギヤ本体１に補強部材２を取り付けてなる本形態のギヤにおいて補強部材２は，次のような役割を果たしている。補強部材２はまず，全体の強度を担っている。すなわち，ギヤ本体１は柔軟な合成樹脂製なので，それだけでは撓みやすいのである。そこで金属製の補強部材２を取り付けることにより，ギヤ全体としての強度を確保しているのである。この補強効果はむろん，補強部材２の硬度が高いほど大きい。ここで，連結リブ１５が外郭円形リブ１４と歯元部１０とを繋いでいることにより，補強部材２の外周縁２１より外側の部分にも補強の効果が及んでいる。
【００２４】
ここで，補強部材２が取り付けられている状態における，補強部材２の外周縁２１と歯元部１０との間のリブの変形状況を説明する。前述のように取り付け状態では，各第１凸部１６が補強部材２の外周縁２１により外向きに押し出されている。このため，図２の平面図に示すように外郭円形リブ１４も，各第１凸部１６との連結位置においては，第１凸部１６に押し出されて外向きに変位している。なお，補強部材２を取り付ける前の状態におけるギヤ本体１では，図３に示すように，外郭円形リブ１４がほぼ真円状となる。
【００２５】
しかしながら，その外郭円形リブ１４の変位は，各第１凸部１６との連結箇所のみに止まる。そして前述のように，外郭円形リブ１４に対して，連結リブ１５が繋がる位置と第１凸部１６が繋がる位置とは異なる。このため外郭円形リブ１４の変位は，連結リブ１５には影響しない。よって，ギヤ本体１に補強部材２を取り付けても，歯元部１０は変形しない。このため歯元部１０の形状の精度は，補強部材２が取り付けられている状態においても高い。なお，外郭円形リブ１４も，変位した状態から戻ろうとする反力を発生させている。この反力は，各第１凸部１６の変形の反力を加勢しており，補強部材２の確実な保持に貢献している。
【００２６】
また，補強部材２は，ギヤにある程度の慣性モーメントを付与する役割をも果たしている。回転物であるギヤは，ある程度の慣性モーメントを有している方が安定した回転速度で回転するからである。つまり，ギヤ本体１よりも高密度な材質でできている補強部材２は，ギヤ全体の慣性モーメントのうち大部分を占めているのである。補強部材２を有することにより，ギヤはある程度の慣性モーメントを有するのである。このため回転しているときのイナーシャが大きく，安定した回転速度で回転するのである。
【００２７】
そして本発明のギヤは前述のように，合成樹脂製のギヤ本体１と金属製の補強部材２との組み合わせである。これにより，ギヤ全体を金属製とすることなく，必要な強度や慣性モーメントを得ている。このため，ギヤ全体を金属製とする場合と比較して，まずコスト面で有利である。
【００２８】
また，慣性モーメントの大きさに関して，設計上の自由度が大きい。補強部材２のサイズや材質の選択により，慣性モーメントを調整できるからである。例えば，補強部材２のサイズをそのままにして材質をより高密度のものに変更すれば（例えば，アルミから鉄に変更する等），慣性モーメントをより大きくできる。この場合にギヤ本体１はそのままでよい。あるいは，補強部材２の材質をそのままにして厚さを変更することも考えられる。ただし，補強部材２が強度不足に陥るほど薄くしたり，ギヤ本体１で保持しきれないほど厚くしたりするのでない範囲内に限られる。この場合にもギヤ本体１はそのままでよい。なお，補強部材２の材質や厚さについては，設計時ばかりでなく組み付け時にも選択が可能である。ギヤ本体１をそのまま使えるからである。
【００２９】
また，補強部材２のサイズについては，厚さばかりでなく外径や内径の変更も可能である。外径を小さくすることは，慣性モーメントを小さくする方向に働く。内径を大きくすることも，外径がそのままであれば，慣性モーメントを小さくする方向に働く。逆に，外径を大きくすることは，慣性モーメントを大きくする方向に働く。内径を小さくすることも，外径がそのままであれば，慣性モーメントを大きくする方向に働く。
【００３０】
ここで，外径を小さくしすぎると，補強部材２の補強効果が薄れてしまう。補強部材２の外周縁２１から歯元部１０までの距離が長くなってしまうからである。一方，内径を大きくすることについては，極端でない限り，補強効果をあまり妨げない。むろん，このように外径や内径を変更する場合には，ギヤ本体１の形状もそれに合わせて変更する必要がある。具体的には，第１凸部１６の列の径や第２凸部１９の列の径を変更することになる。よって，補強部材２の外径や内径の選択は，組み付け時にはできず，設計段階で行うことである。
【００３１】
本形態のギヤは，例えば図４に示すような画像形成装置に用いて好適である。図４の画像形成装置は，タンデム式のフルカラー画像形成装置である。この画像形成装置は，４色の画像形成ユニット３Ｙ，３Ｍ，３Ｃ，３Ｋを有している。各画像形成ユニットは，感光体ドラム４Ｙ，４Ｍ，４Ｃ，４Ｋを有している。この画像形成装置はまた，各感光体ドラムからトナー像の１次転写を受けるとともに，トナー像を用紙へ２次転写する転写ベルト３２を有している。この画像形成装置はさらに，各感光体ドラムに潜像を書き込む露光ユニット３４や，用紙上のトナー像を定着する定着装置３３，排紙ローラ３５などを有している。
【００３２】
かかる画像形成装置において，特に回転速度の安定が要求される回転要素として，感光体ドラム４Ｙ，４Ｍ，４Ｃ，４Ｋが挙げられる。これらの回転速度にふらつきがあると，画像の品質が大きく損なわれるからである。そこで，本形態の画像形成装置では，これらの感光体ドラムへの駆動伝達系に本形態のギヤを用いている。本形態のギヤは前述のように歯元部１０の精度に優れており，また，ある程度の慣性モーメントも有している。このため，各感光体ドラムを安定した回転速度で回転させることができる。むろん，感光体ドラムの駆動伝達系に限らず，転写ベルト３２への駆動伝達系や，紙送りの駆動伝達系などにもギヤを用いることができる。
【００３３】
以上詳細に説明したように，本形態のギヤにおいては，金属製の補強部材２を有することとしている。そして，補強部材２を取り付けることによる第１凸部１６の変形が歯元部１０には影響しないようにしている。これにより，安定した回転速度での駆動伝達ができるギヤが，低コストで実現されている。また，慣性モーメントの大小に関する設計上の自由度も増大している。さらに，このギヤを画像形成装置の感光体等の駆動伝達系に用いることにより，安定した回転により高品質な画像を形成できる画像形成装置が実現されている。
【００３４】
なお，本形態のギヤにおいては，内周側の連結リブ１８も，外周側のように第２凸部１９に対して互い違いの配置としてもよい。特に，補強部材２の取付により第２凸部１９が変形する構成の場合には，連結リブ１８と第２凸部１９とを互い違いにすることが望ましい。また，補強部材２の内側にはリブを有さず，第１凸部１６により外側のみから補強部材２を保持する構成も可能である。逆に，補強部材２の外側にはリブを有さず，第２凸部１９により内側のみから補強部材２を保持する構成も可能である。内側のみから補強部材２を保持する場合には，補強効果はあまり多くを期待することはできないが，慣性モーメントの増大効果は得られる。また，補強部材２の保持に関して，第１凸部１６等の復元力によるばかりでなく，ネジ止め等の固定具を追加してもよい。その場合のネジとネジ穴との間のクリアランスは，多少大きめに取っておくとよい。
【００３５】
［第２の形態］
第２の形態に係るギヤは，図５に示すギヤ本体１０１と，２枚の補強部材１０２，１０３とを有している。本形態の第１の形態との相違点は，２枚の補強部材１０２，１０３を重ねて使用することである。そしてこれに伴い，第１凸部１１６および第２凸部１１９の形状を変更していることである。これら以外には特段の相違点はない。
【００３６】
まず，ギヤ本体１０１について説明する。ギヤ本体１０１は，第１の形態におけるギヤ本体１と同様に，外郭円形リブ１４，連結リブ１５，内郭円形リブ１７，連結リブ１８を有している。これらの各リブについては，第１の形態におけるものと違いはない。
【００３７】
しかしながら，本形態における第１凸部１１６および第２凸部１１９は，第１の形態におけるものとやや異なっている。具体的には，第１凸部１１６，第２凸部１１９とも，段差のある形状とされている。すなわち，第１凸部１１６には，低段部１１４と高段部１１５とが設けられている。外郭円形リブ１４から内側へ向かっての突出の程度は，低段部１１４の方が高段部１１５より大きい。第２凸部１１９にも，低段部１１７と高段部１１８とが設けられている。内郭円形リブ１７から外側へ向かっての突出の程度は，低段部１１７の方が高段部１１５より大きい。
【００３８】
次に，補強部材１０２，１０３について説明する。補強部材１０２，１０３はいずれも，第１の形態の補強部材２と同様の部材である。ただし，図５中ではこれらを厚めに描いているが，実際には，２枚の補強部材１０２，１０３の厚さの合計が第１の形態の補強部材２の厚さと同じくらいになるようにされる。また，上側となる補強部材１０２については，その外径，内径とも，第１の形態の場合の外径，内径と同じである。一方，下側となる補強部材１０３については，その外径は第１の形態の場合の外径より小さく，その内径は第１の形態の場合の内径より大きい。
【００３９】
本形態においては，２枚の補強部材１０２，１０３が，重ね合わせられてギヤ本体１０１に取り付けられている。補強部材１０３が下側であり，低段部１１４と低段部１１７との間のスペースに取り付けられる。補強部材１０２は，補強部材１０３の上に，高段部１１５と高段部１１８との間のスペースに取り付けられる。なお，補強部材１０２，１０３は，必ずしも同じ材質でなくてもよい。
【００４０】
ここにおいて，上側の補強部材１０２は，必ず，高段部１１５と高段部１１８との間隔を押し広げながら圧入されるようになっていなければならない。しかし下側の補強部材１０３については，そのようなことは必須ではない。すなわち補強部材１０３は，低段部１１４と低段部１１７との間のスペースに対してジャストサイズであってもよい。上側の補強部材１０２がリブの変形の反力で保持されることにより，その下の補強部材１０３も結果的に保持されるからである。
【００４１】
本形態のギヤは，第１の形態のギヤの利点をすべて有している。その上で，慣性モーメントや強度についての設計上の自由度がさらに大きい。補強部材１０２と補強部材１０３とで独立してサイズや材質を選択できるからである。
【００４２】
本形態のギヤは，２枚の補強部材１０２，１０３のうち一方のみをギヤ本体１０１に取り付けた状態で使用することもできる。ただし，下側の補強部材１０３のみ取り付ける場合には，補強部材１０３が低段部１１４と低段部１１７との間隔を押し広げることが必須である。また，補強部材１０２，１０３のそれぞれをさらに複数枚の重ね合わせ構成とすることもできる。これらのことは，組み付け時における選択も可能である。
【００４３】
なお，本形態においては，第１凸部１１６，第２凸部１１９のうち一方のみに段差を設けることも可能である。また，段差の段数は「２」に限らない。第１の形態で説明した補強部材の内外径の設計時における変更は，むろん本形態でも可能である。本形態のギヤも，第１の形態のギヤと同様，図４のような画像形成装置の感光体ドラム等への駆動伝達系に好適に用いることができる。
【００４４】
［第３の形態］
第３の形態に係るギヤは，図６に示すギヤ本体２０１と，補強部材２とを有している。本形態の第１の形態との相違点は，ギヤ本体２０１において，外郭円形リブ１４と歯元部１０との間の連結リブ１５が設けられていないことである。このこと以外には特段の相違点はない。本形態のギヤも，第１の形態のギヤの利点をほぼすべて有している。ただし，外郭円形リブ１４と歯元部１０との間の部分の強度については，第１または第２の形態のギヤに比してやや劣る。
【００４５】
本形態においてはさらに，外郭円形リブ１４をも省略した構成とすることも可能である。また，補強部材２の内周側においても，連結リブ１８や内郭円形リブ１７を省略することが可能である。また，本形態においても第２の形態のように，段付き形状の第１凸部１１６，第２凸部１１９を採用した構成とすることも可能である。
【００４６】
なお，前記各形態は単なる例示にすぎず，本発明を何ら限定するものではない。したがって本発明は当然に，その要旨を逸脱しない範囲内で種々の改良，変形が可能である。例えば，ギヤ本体が両面に前記の各リブ構造を有し，両面に補強部材を取り付けるようになっていてもよい。また，タンデム式以外の画像形成装置にも適用可能である。また，カラー機に限らず，モノクロ機にも使用できる。また，補強部材２，１０２，１０３は，必ずしもドーナツ形の１枚板に限らず，分割形等であってもよい。また，ギヤ歯が歯元部の外周面に形成される外ギヤに限らず，内ギヤやベベルギヤ等への適用も可能である。
【図面の簡単な説明】
【００４７】
【図１】第１の形態に係るギヤを示す分解斜視図である。
【図２】第１の形態に係るギヤにおける，補強部材と歯元部との間のリブの変形状況を示す平面図である。
【図３】第１の形態に係るギヤにおける，補強部材を取り付ける前の状態におけるリブの形状を示す平面図である。
【図４】第１の形態に係る画像形成装置の構造を示す断面図である。
【図５】第２の形態に係るギヤを示す分解斜視図である。
【図６】第３の形態に係るギヤを示す分解斜視図である。
【符号の説明】
【００４８】
１，１０１          ギヤ本体
２，１０２，１０３  補強部材
４Ｙ等              感光体ドラム
１０                歯元部
１３                フランジ部
１４                外郭円形リブ
１５                連結リブ
１６，１１６        第１凸部
１９，１１９        第２凸部
３２                転写ベルト
１１４，１１７      低段部
１１５，１１８      高段部
【図１】
0004905316.tif 000002
【図２】
0004905316.tif 000003
【図３】
0004905316.tif 000004
【図４】
0004905316.tif 000005
【図５】
0004905316.tif 000006
【図６】
0004905316.tif 000007